(57)【要約】【課題】ズームレンズ等の位置を手動でのみ調節可能な交換レンズがカメラボディに装着されたデジタルカメラでは、ズームレンズ等の位置を遠隔操作で調節できず、ズーム操作が困難であった。【解決手段】ズーム環２０１等を介した手動操作でのみズームレンズ２００の位置を調節可能な交換レンズ２０ａがカメラボディ３０に装着されたデジタルカメラ１０ａを、携帯通信端末４０を用いて遠隔操作する場合、ズームレンズ２００の位置変更によるズーム操作を行う代わりに電子ズーム処理を行う。【選択図】図１
2014027352.tif 000002
【特許請求の範囲】
【請求項１】
手動で駆動されるズームレンズを少なくとも含む撮影光学系と、
前記ズームレンズの光軸方向の位置に関する情報を生成する生成手段と、
前記撮影光学系を通過した被写体像を撮像して、撮像画像を出力する撮像手段と、
前記撮影光学系の焦点距離の変更を示す調節信号を、外部端末から受信する受信手段と、
前記撮像画像の一部を拡大または縮小した第１画像を生成する電子ズーム手段と、
前記受信手段が前記外部端末から前記調節信号を受信したときに、前記ズームレンズの光軸方向の位置と前記調節信号とに基づいて、前記電子ズーム手段に前記第１画像を生成させる制御手段と、
を備えることを特徴とするカメラ。
【請求項２】
請求項１に記載のカメラにおいて、
前記調節信号が示す前記撮影光学系の焦点距離の変更は、前記撮影光学系を手動で駆動させたときの前記ズームレンズの光軸方向の位置の変更に対応し、
前記制御部は、前記ズームレンズの光軸方向の位置と前記調節信号とに基づいて、前記撮影光学系を手動で駆動させたときに撮像される撮像画像の画角に対応する第１画像を、前記電子ズーム手段に生成させることを特徴とするカメラ。
【請求項３】
請求項１または２に記載のカメラにおいて、
前記制御手段が前記電子ズーム手段により前記第１画像を生成しているときは前記第１画像を記録する画像記録手段をさらに備えることを特徴とするカメラ。
【請求項４】
請求項３に記載のカメラにおいて、
前記画像記録手段は、前記第１画像を所定の記録画素数で記録し、
前記制御手段は、前記ズームレンズの位置と前記調節信号と前記記録画素数とに基づいて、前記電子ズーム手段に前記第１画像を生成させることを特徴とするカメラ。
【請求項５】
請求項１から４のいずれか一項に記載のカメラにおいて、
前記制御手段が前記電子ズーム手段により前記第１画像を生成しているときは前記外部端末に前記第１画像を送信し、前記制御手段が前記電子ズーム手段により前記第１画像を生成していないときは前記外部端末に前記撮像画像を送信する送信手段をさらに備えることを特徴とするカメラ。
【請求項６】
請求項５に記載のカメラにおいて、
前記送信手段が前記外部端末に前記撮像画像または前記第１画像を送信しているときは前記撮像画像および前記第１画像のいずれも表示しない表示手段をさらに備えることを特徴とするカメラ。
【請求項７】
請求項１から６のいずれか一項に記載のカメラにおいて、
前記撮像画像の一部を、撮像画面から設定する設定手段をさらに備えることを特徴とするカメラ。
【請求項８】
請求項１から７のいずれか一項に記載のカメラにおいて、
第１の交換レンズとカメラボディとを備え、
前記第１の交換レンズは、前記撮影光学系と前記生成手段とを備え、
前記カメラボディは、
前記撮像手段と前記電子ズーム手段と前記制御手段とを備え、
前記第１の交換レンズを着脱可能に装着する取付手段をさらに備えることを特徴とするカメラ。
【請求項９】
請求項８に記載のカメラにおいて、
前記取付手段は、前記第１の交換レンズに代えて、ズームレンズの位置を電動で調節する第２の交換レンズを着脱可能に装着でき、
前記受信手段は、前記調節信号を、前記取り付け手段に装着された前記第２の交換レンズの焦点距離の変化を表す信号として外部端末から受信して、
前記第１の交換レンズが前記取り付け手段に装着されているか否かを判定する装着レンズ判定手段をさらに備えることを特徴とするカメラ。
【請求項１０】
カメラと外部端末とからなるカメラシステムであって、
前記カメラは、
手動で駆動されるズームレンズを少なくとも含む撮影光学系と、
前記ズームレンズの光軸方向の位置に関する情報を生成する生成手段と、
前記撮影光学系を通過した被写体像を撮像して、撮像画像を出力する撮像手段と、
前記撮影光学系の焦点距離の変更を示す調節信号を、前記外部端末から受信する調節信号受信手段と、
前記撮像画像の一部を拡大または縮小した第１画像を生成する電子ズーム手段と、
前記受信手段が前記外部端末から前記調節信号を受信したときに、前記ズームレンズの光軸方向の位置と前記調節信号とに基づいて、前記電子ズーム手段に前記第１画像を生成させる制御手段と、を備え、
前記外部端末は、
前記調節信号を前記カメラへ送信する調節信号送信手段を備えることを特徴とするカメラシステム。
【請求項１１】
請求項１０に記載のカメラシステムにおいて、
前記調節信号が示す前記撮影光学系の焦点距離の変更は、前記撮影光学系を手動で駆動させたときの前記ズームレンズの光軸方向の位置の変更に対応し、
前記制御部は、前記ズームレンズの光軸方向の位置と前記調節信号とに基づいて、前記撮影光学系を手動で駆動させたときに撮像される撮像画像の画角に対応する第１画像を、前記電子ズーム手段に生成させることを特徴とするカメラシステム。
【請求項１２】
請求項１０または１１に記載のカメラシステムにおいて、
前記カメラは、
前記制御手段が前記電子ズーム手段により前記第１画像を生成していないときは前記撮像画像を記録し、前記制御手段が前記電子ズーム手段により前記第１画像を生成しているときは前記第１画像を記録する画像記録手段をさらに備えることを特徴とするカメラシステム。
【請求項１３】
請求項１２に記載のカメラシステムにおいて、
前記画像記録手段は、前記第１画像を所定の記録画素数で記録し、
前記制御手段は、前記ズームレンズの位置と前記調節信号とに基づいて前記撮像画像の一部を前記記録画素数以上に設定して、前記電子ズーム手段に前記第１画像を生成させることを特徴とするカメラシステム。
【請求項１４】
請求項１０から１３のいずれか一項に記載のカメラシステムにおいて、
前記カメラは、
前記制御手段が前記電子ズーム手段により前記第１画像を生成しているときは前記外部端末に前記第１画像を送信し、前記制御手段が前記電子ズーム手段により前記第１画像を生成していないときは前記外部端末に前記撮像画像を送信する画像送信手段をさらに備え、
前記外部端末は、
前記画像送信手段により送信される前記第１画像または前記撮像画像を受信する画像受信手段をさらに備えることを特徴とするカメラシステム。
【請求項１５】
請求項１４に記載のカメラシステムにおいて、
前記カメラは、
前記画像送信手段が前記外部端末に前記撮像画像または前記第１画像を送信しているときは前記撮像画像および前記第１画像のいずれも表示しない第１表示手段をさらに備え、
前記外部端末は、
前記画像受信手段が前記撮像画像または前記第１画像を受信しているときは前記撮像画像または前記第１画像を表示する第２表示手段をさらに備えることを特徴とするカメラシステム。
【請求項１６】
請求項１０から１５のいずれか一項に記載のカメラシステムにおいて、
前記カメラは、
前記撮像画像の一部を、撮像画面から設定する設定手段をさらに備えることを特徴とするカメラシステム。
【請求項１７】
請求項１０から１６のいずれか一項に記載のカメラシステムにおいて、
前記カメラは、
第１の交換レンズとカメラボディとをさらに備え、
前記第１の交換レンズは、前記撮影光学系と前記生成手段とを備え、
前記カメラボディは、
前記撮像手段と前記電子ズーム手段と前記制御手段とを備え、
前記第１の交換レンズを着脱可能に装着する取付手段をさらに備えることを特徴とするカメラシステム。
【請求項１８】
請求項１７に記載のカメラシステムにおいて、
前記取付手段は、前記第１の交換レンズに代えて、ズームレンズの位置を電動で調節する第２の交換レンズを着脱可能に装着でき、
前記調節信号受信手段は、前記調節信号を、前記取り付け手段に装着された前記第２の交換レンズの焦点距離の変化を表す信号として外部端末から受信して、
前記カメラは、
前記第１の交換レンズが前記取り付け手段に装着されているか否かを判定する装着レンズ判定手段をさらに備えることを特徴とするカメラシステム。
【請求項１９】
カメラと通信する電子機器であって、
前記カメラから撮像画像を受信する画像受信手段と、
前記画像受信手段により受信した撮像画像の一部を拡大または縮小した第１画像を生成する電子ズーム手段と、
を備えることを特徴とする電子機器。
【請求項２０】
カメラと通信する電子機器に備わるコンピュータを、
前記カメラから撮像画像を受信する画像受信手段と、
前記画像受信手段により受信した撮像画像の一部を拡大または縮小した第１画像を生成する電子ズーム手段として機能させるためのプログラム。
【発明の詳細な説明】
【技術分野】
【０００１】
本発明はカメラ、そのカメラと外部端末とを備えるカメラシステム、その外部端末などの電子機器、その電子機器が実行するプログラムに関する。
【背景技術】
【０００２】
携帯通信端末を介して遠隔操作可能なデジタルカメラが知られている（たとえば、特許文献１参照）。特許文献１には、携帯通信端末を用いてデジタルカメラのズーム操作を行う記載がある。
【０００３】
カメラボディに交換レンズが着脱可能に装着されるレンズ交換式のデジタルカメラは周知となっている。交換レンズには、ズームレンズ等の光学系が備わっており、ズームレンズ等の位置が手動でのみ調節可能な交換レンズが周知となっている。
【先行技術文献】
【特許文献】
【０００４】
【特許文献１】特許４７７１４８１号
【発明の概要】
【発明が解決しようとする課題】
【０００５】
ズームレンズ等の位置を手動でのみ調節可能な交換レンズがカメラボディに装着されたデジタルカメラでは、ズームレンズ等の位置を遠隔操作で調節できず、ズーム操作が困難であった。
【課題を解決するための手段】
【０００６】
本発明によるカメラは、手動で駆動されるズームレンズを少なくとも含む撮影光学系と、ズームレンズの光軸方向の位置に関する情報を生成する生成手段と、撮影光学系を通過した被写体像を撮像して、撮像画像を出力する撮像手段と、撮影光学系の焦点距離の変更を示す調節信号を、外部端末から受信する受信手段と、撮像画像の一部を拡大または縮小した第１画像を生成する電子ズーム手段と、受信手段が外部端末から調節信号を受信したときに、ズームレンズの光軸方向の位置と調節信号とに基づいて、電子ズーム手段に第１画像を生成させる制御手段と、を備えることを特徴とする。
【発明の効果】
【０００７】
本発明によれば、ズームレンズ等の位置を手動でのみ調節可能な交換レンズがカメラボディに装着された場合であっても、ズーム操作を行うことができる。
【図面の簡単な説明】
【０００８】
【図１】本発明の一実施の形態によるカメラシステムのブロック構成図である。
【図２】本発明の一実施の形態によるカメラシステムの交換レンズのブロック図である。
【図３】本発明の一実施の形態によるカメラシステムのカメラボディのブロック図である。
【図４】本発明の一実施の形態によるカメラシステムのデジタルカメラを遠隔操作するために用いる携帯通信端末のブロック図である。
【図５】携帯通信端末の表示部に表示されるデジタルカメラの遠隔操作用の操作画面を示す図である。
【図６】電子ズーム手段について説明するための図である。
【図７】電子ズーム手段におけるトリミング領域の演算方法についての説明に用いる図である。
【図８】デジタルカメラの遠隔操作開始時に実行する処理に関数フローチャートである。
【図９】電子ズーム手段に関するフローチャートである。
【図１０】ズームレンズの推定位置を算出する処理に関するフローチャートである。
【図１１】電子ズーム手段に設ける制限について説明するための図である。
【図１２】撮像画面中に設定されているフォーカスエリアの一例を示す図である。
【図１３】デジタルカメラの遠隔操作用の操作画面の一変形例を示す図である。
【発明を実施するための形態】
【０００９】
（カメラシステムの構成）
図１は、本発明の一実施の形態によるカメラシステムの一構成例を示す図である。図１（ａ）に例示されるカメラシステム１は、レンズ交換式のデジタルカメラ１０ａと携帯通信端末４０とを有するカメラシステムであって、デジタルカメラ１０ａは携帯通信端末４０と無線通信を行う。なお、以後、図１（ｂ）に例示されるレンズ交換式のデジタルカメラ１０ｂと携帯通信端末４０ともカメラシステム１として扱うこともある。
【００１０】
図１（ａ）および（ｂ）にそれぞれ図示するデジタルカメラ１０ａおよびデジタルカメラ１０ｂはカメラボディ３０を有し、交換レンズがカメラボディ３０に着脱可能に装着されている。デジタルカメラ１０ａのカメラボディ３０には交換レンズ２０ａが装着され、デジタルカメラ１０ｂのカメラボディ３０には交換レンズ２０ｂが装着される。
【００１１】
交換レンズ２０ａおよび２０ｂには、ズームレンズ２００やフォーカスレンズ（不図示）などの光学系が内蔵されている。交換レンズ２０ａおよび２０ｂは、ズームレンズ２００を光軸方向に駆動することで交換レンズ２０ａおよび２０ｂの焦点距離や画角などを変更することができる。
【００１２】
交換レンズ２０ａでは、ズーム環２０１を用いて、ズームレンズ２００の位置を手動で調節する。一方、交換レンズ２０ｂでは、ズームレンズ２００の位置をモータ１０００等の駆動部を用いて電動駆動する。なお、交換レンズ２０ａはズームレンズ２００を電動駆動できず、交換レンズ２０ｂはズームレンズ２００の手動調節については特に限定しない。
【００１３】
カメラボディ３０と携帯通信端末４０とは、Ｂｌｕｅｔｏｏｔｈ（登録商標）やＷｉ―Ｆｉなどの無線通信を用いて、データの授受を行う。携帯通信端末４０は、操作画面等を表示する表示部４００を有する。ユーザは、表示部４００を見ながらデジタルカメラ１０ａおよび１０ｂを遠隔操作可能である。カメラボディ３０と携帯通信端末４０とのデータの授受については後述する。
【００１４】
（交換レンズ２０ａおよび２０ｂの構成）
図２（ａ）は、交換レンズ２０ａのブロック図である。図２（ａ）に例示される交換レンズ２０ａは、ズームレンズ２００とズーム環２０１とエンコーダ２０２とレンズ側ＣＰＵ２０３とレンズ側ＲＯＭ２０４とレンズ側接点部２０５とフォーカスレンズ駆動部２０６と絞り駆動部２０７とを備える。
【００１５】
エンコーダ２０２は、ズーム環２０１の位置を検出して、ズームレンズ２００の位置を検出し、ズームレンズ２００の位置情報をレンズ側ＣＰＵ２０３へ出力する。レンズ側ＲＯＭ２０４には、交換レンズ２０ａに関するレンズ情報が記憶されている。レンズ側ＣＰＵ２０３は、レンズ情報と、エンコーダ２０２により検出されたズームレンズ２００の位置情報とを、レンズ側接点部２０５を介してカメラボディ３０側へ出力する。
【００１６】
上述した交換レンズ２０ａに関するレンズ情報は、交換レンズ２０ａの開放Ｆ値やズームレンズ２００の位置毎の焦点距離、交換レンズ２０ａの型式などの情報が含まれる。
【００１７】
交換レンズ２０ａには、図２（ａ）に図示されたもの以外にも、絞りやフォーカスレンズなども備わっている。フォーカスレンズ駆動部２０６は、レンズ側ＣＰＵ２０３によって制御され、不図示のフォーカスレンズを光軸方向に駆動する。絞り駆動部２０７は、レンズ側ＣＰＵ２０３によって制御され、不図示の絞りの開口の大きさを調節することに用いられる。
【００１８】
図２（ｂ）は、交換レンズ２０ｂのブロック図である。図２（ｂ）に例示される交換レンズ２０ｂは、ズームレンズ２００の位置を移動させるためモータ１０００を有する点と、ズーム環２０１とエンコーダ２０２とを有しない点とで交換レンズ２０ａの構成と異なる。
【００１９】
交換レンズ２０ａと同様にレンズ側ＲＯＭ２０４には、交換レンズ２０ｂに関するレンズ情報が記憶されている。交換レンズ２０ｂに関するレンズ情報は、交換レンズ２０ｂの開放Ｆ値やズームレンズ２００の位置毎の焦点距離、交換レンズ２０ｂの型式などの情報が含まれる。
【００２０】
（カメラボディ３０の構成）
図３は、カメラボディ３０のブロック図である。図３に例示されるカメラボディ３０は、カメラ側接点部３００とカメラ側ＣＰＵ３０１と撮像部３０２と無線通信部３０３と画像表示部３０４と画像記録部３０５と音声入力部３０６と操作部３０７とマウント部３０８とを備える。
【００２１】
カメラ側接点部３００は、交換レンズ２０ａがマウント部３０８に装着されたとき、交換レンズ２０ａのレンズ側接点部２０５と接続される。カメラ側ＣＰＵ３０１は、カメラ側接点部３００を介して、交換レンズ２０ａのレンズ側ＣＰＵ２０３と通信する。交換レンズ２０ａのレンズ側接点部２０５へ出力されたレンズ情報とズームレンズ２００の位置情報は、カメラ側接点部３００を介して、カメラ側ＣＰＵ３０１へ入力される。
【００２２】
カメラ側ＣＰＵ３０１は、ズームレンズ２００の位置情報とレンズ情報とに基づいて、交換レンズ２０ａの焦点距離を演算し、その焦点距離から交換レンズ２０ａの画角を演算する。また、カメラ側ＣＰＵ３０１は、レンズ情報に含まれる交換レンズの型式に基づいて、マウント部３０８に装着された交換レンズがズームレンズ２００を電動駆動できない交換レンズか否か（交換レンズ２０ａであるか交換レンズ２０ｂであるか）を判断する。また、カメラ側ＣＰＵ３０１は、カメラ側接点部３００を介して、フォーカスレンズや絞りの駆動指示を行う。
【００２３】
また、カメラ側ＣＰＵ３０１は、撮像部３０２、無線通信部３０３、画像表示部３０４、画像記録部３０５、音声入力部３０６、操作部３０７などを制御して、デジタルカメラ１０ａの動作を制御する。
【００２４】
撮像部３０２は撮像素子を有し、交換レンズ２０ａまたは交換レンズ２０ｂを通過した被写体像を撮像して、撮像画像を出力する。撮像部３０２は、例えば、４Ｋ２Ｋ相当の記録画素数（４０００×２０００）の撮像画像を出力することができる。
【００２５】
カメラ側ＣＰＵ３０１は、電子ズーム部３１０を有し、撮像部３０２から出力される撮像画像の一部を拡大する電子ズーム処理を実行することができる。電子ズーム処理の詳細については後述する。
【００２６】
無線通信部３０３は、Ｗｉ―Ｆｉなどを用いた無線通信を行う。カメラ側ＣＰＵ３０１は、無線通信部３０３を介して携帯通信端末４０と各種情報（スルー画などの画像情報、メニュー情報、レンズ情報など）または操作信号の授受を行う。カメラ側ＣＰＵ３０１は、携帯通信端末４０から入力される操作信号を、無線通信部３０３を介して受信して、その操作信号に基づきデジタルカメラの各部を制御する。このように、携帯通信端末４０から入力される操作信号に基づいてデジタルカメラの各部を制御することを遠隔操作と称する。
【００２７】
画像表示部３０４は、カメラ３０の背面に配置される液晶モニタ等である。画像表示部３０４には、たとえば撮像部３０２から出力された撮像画像に基づいたスルー画像や、メニュー画面などが表示される。カメラ側ＣＰＵ３０１は、携帯通信端末４０による遠隔操作中には、画像表示部３０４が各種画像を表示しないように設定する。画像表示部３０４は、電気的なビューファインダ（ＥＶＦ：Ｅｌｃｔｒｏｎｉｃ  Ｖｉｅｗ  Ｆｉｎｄｅｒ）であってもよい。
【００２８】
画像記録部３０５は、メモリーカードなどの不揮発性の記録媒体であって、撮像部３０２から出力された撮像画像等に基づいた静止画データや動画データが記録される。音声入力部３０６は、マイクロホンなどを備え、動画撮影時などに音声を検出する。操作部３０７は、レリーズスイッチや画像表示部３０４に設けられたタッチパネルなどの操作部材である。
【００２９】
（携帯通信端末４０の構成）
図４は、携帯通信端末４０のブロック図である。図４に例示される携帯通信端末４０は、例えばスマートフォンなどであって、表示部４００と端末側ＣＰＵ４０１と記憶部４０２と操作部４０３と無線通信部４０４とを備える。端末側ＣＰＵ４０１は、表示部４００と記憶部４０２と操作部４０３と無線通信部４０４とを制御する。記憶部４０２には、制御用ＣＰＵ４０１の制御プログラムや、カメラシステム１用のアプリケーションが記憶されている。表示部４００には、記憶部４０２に記憶されたカメラシステム１用のアプリケーションの操作画面（後述）が表示される。操作部４０３は、携帯通信端末４０を操作するための操作部材であって、表示部４００に設けられたタッチパネルなどである。操作部４０３は、キーボードや、スイッチ類などであってもよい。無線通信部４０４は、Ｗｉ―Ｆｉなどを用いた無線通信を行う。端末側ＣＰＵ４０１は、無線通信部４０４を介してデジタルカメラ１０aと各種情報（スルー画情報、メニュー情報、レンズ情報など）または操作信号の授受を行う。
【００３０】
（デジタルカメラ１０ａおよび１０ｂの遠隔操作）
ユーザが携帯通信端末４０を用いてデジタルカメラ１０ａまたはデジタルカメラ１０ｂを遠隔操作する場合について説明する。ユーザは、カメラシステム１用のアプリケーションを携帯通信端末４０で実行することで、デジタルカメラ１０ａや１０ｂの遠隔操作を行うことができる。ここで、デジタルカメラ１０aと携帯通信端末４０とはともにすでに起動し、デジタルカメラ１０aまたはデジタルカメラ１０ｂは撮像部３０２による被写体像の撮像を開始して画像表示部３０４にスルー画を表示しているものとする。携帯通信端末４０の端末側ＣＰＵ４０１がカメラシステム１用のアプリケーションの実行を開始すると、携帯通信端末４０は無線通信部４０４を介してカメラボディ３０との無線通信を開始する。
【００３１】
携帯通信端末４０とカメラボディ３０との間の通信が確立されると、カメラボディ３０は、無線通信部３０３を介して携帯通信端末４０にスルー画を送信する。一方、携帯通信端末４０は、携帯通信端末４０とカメラボディ３０との間の通信が確立されると、図５に例示されるような操作画面を、表示部４００に表示する。
【００３２】
図５は、カメラシステム１用のアプリケーションの操作画面の一表示例である。図５に例示される操作画面５００には、画像表示領域５０１と撮影ボタン５０２と望遠側ズームボタン５０３と広角側ズームボタン５０４と再生切替ボタン５０５とメニューボタン５０６とが表示されている。
【００３３】
画像表示領域５０１には、カメラボディ３０側から送信される、スルー画または記録された画像データの再生画像またはメニュー画像などの画像が表示される。ユーザは、画像表示領域５０１に表示されるスルー画を目視して、シャッターチャンスや、デジタルカメラ１０ａまたは１０ｂの設定変更の要否を判断することができる。
【００３４】
撮影ボタン５０２は、カメラボディ３０に静止画または動画の撮影開始を指示するためのボタンである。撮影ボタン５０２は、カメラボディ３０に動画の撮影終了を指示することにも使用する。ユーザが撮影ボタン５０２を操作すると、カメラ側ＣＰＵ３０１は、画像表示領域５０１に表示させた画像を、所定の記録画素数（画面解像度）の静止画データまたは動画データとして画像記録部３０５に記録する。所定の記録画素数とは、例えば、４Ｋ２Ｋ（４０００×２０００）、ＦｕｌｌＨＤ（１９２０×１０８０）、ＶＧＡ（６４０×４８０）などである。所定の記録画素数は、ユーザが予め設定することができる。
【００３５】
望遠側ズームボタン５０３および広角側ズームボタン５０４は、ユーザが画像表示領域５０１に表示されている画像（スルー画、再生画像など）を拡大表示または縮小表示するときに用いる。ただし撮影時においては、ユーザは望遠側ズームボタン５０３または広角側ズームボタン５０４を用いて、デジタルカメラのズーム操作を行いたいとしているのである。そのため、望遠側ズームボタン５０３または広角側ズームボタン５０４が操作部４０３を介して操作されると、各ズームボタンに対応した操作信号（調節信号と称する）がカメラボディ３０へ送信される。カメラボディ３０は無線通信部３０３を介して調節信号を受信する。カメラ側ＣＰＵ３０１は、当該調節信号に基づきデジタルカメラの各部を制御する。このとき、カメラボディ３０に交換レンズ２０ａが装着されている場合と交換レンズ２０ｂが装着されている場合とで、カメラ側ＣＰＵ３０１によるデジタルカメラ１０ａまたはデジタルカメラ１０ｂの各部動作が異なる。
【００３６】
望遠側ズームボタン５０３に対応する調節信号を受信したカメラボディ３０に交換レンズ２０ｂが装着されている場合、カメラ側ＣＰＵ３０１は、カメラ側接点部３００を介して、レンズ側ＣＰＵ２０３にズームレンズ２００の位置をテレ端側（望遠側）へ移動するよう当該調節信号に応じた指示をする。レンズ側ＣＰＵ２０３は、レンズ側接点部２０５を介して当該指示を受信し、モータ１０００を駆動させてズームレンズ２００をテレ端側へ移動させる。同様に広角側ズームボタン５０４に対応する調節信号を受信したカメラボディ３０に交換レンズ２０ｂが装着されている場合、レンズ側ＣＰＵ２０３は、レンズ側接点部２０５を介して当該調節信号に応じた指示を受信し、モータ１０００を駆動させてズームレンズ２００をワイド端側（広角側）へ移動させる。なお、テレ端側（望遠側）へ移動するとは、テレ端（望遠端）まで移動するということではなく、テレ端方向に移動するということである。ワイド端側（広角側）への移動についても同様である。
【００３７】
一方、カメラボディ３０に交換レンズ２０ａが装着されている場合、ユーザによって望遠側ズームボタン５０３または広角側ズームボタン５０４が操作部４０３を介して操作されても、モータ１０００がないためズームレンズ２００を電動駆動できない。そのため、デジタルカメラ１０ａではズームレンズ２００を移動させることができない。そこで、デジタルカメラ１０ａは電子ズーム部３１０を用いて電子ズーム処理を実行することで、交換レンズ２０ａにおいてズームレンズ２００の位置が調節された場合と同等の画角の撮像画像を生成する。換言すれば、交換レンズ２０ａのズームレンズ２００による光学ズームを、電子ズーム処理により擬似的に再現する。
【００３８】
したがって、カメラボディ３０に交換レンズ２０ａが装着されている場合に、ユーザが操作部４０３を用いて望遠側ズームボタン５０３を選択したとき、カメラボディ３０は望遠側ズームボタン５０３が選択されるたびに電子ズーム処理による拡大倍率を増加させる。また、ユーザが操作部４０３を用いて広角側ズームボタン５０４を選択したとき、デジタルカメラ１０ａは電子ズーム処理による拡大倍率を減少させる。電子ズーム処理については、後に詳細に説明する。
【００３９】
再生切替ボタン５０５は、携帯通信端末４０を、デジタルカメラ１０ａまたはデジタルカメラ１０ｂを用いた被写体像を撮像する撮像モードから、被写体像のデジタルカメラ１０ａまたは１０ｂの画像記録部３０５に記録された画像データを閲覧再生する再生モードに切り替える。再生モードでは、再生する画像を、表示部４００全体に表示してもよいし、画像表示領域５０１に表示することにしてもよい。なお、再生画像は、デジタルカメラ１０ａまたはデジタルカメラ１０ｂで撮影した画像データを携帯通信端末４０の記録部（図示しない）に記録し、携帯通信端末４０の記録部に記録された画像データを閲覧再生するようにしてもよい。
【００４０】
メニューボタン５０６は、ユーザがカメラシステムの設定に用いるメニュー画面を、表示部４００に表示させるために用いられる。ユーザは、メニュー画面を介して、再生中の画像データの削除や、４Ｋ２Ｋ（４０００×２０００）、ＦｕｌｌＨＤ（１９２０×１０８０）、ＶＧＡ（６４０×４８０）などの記録画素数の設定等を行うことができる。
【００４１】
（電子ズーム処理）
図６は、電子ズーム部３１０による電子ズーム処理について説明するための図である。図６（ａ）には、撮像部３０２が撮像した被写体像の撮像画像の一例（撮像画像６００）が示されている。図６（ｂ）は、電子ズーム処理時に撮像画像６００の中央部分に設定されるトリミング領域を例示したものである。電子ズーム処理は、図６に例示されたトリミング領域６０１の画像を、撮像画像６００と同一サイズになるように拡大する。図６（ｂ）に例示されたトリミング領域６０１は、縦横の画素数がそれぞれ撮像画像６００の縦横の画素数の１／２である。すなわち、トリミング領域６０１を４倍すると、撮像画像６００と同じサイズとなる。図６（ｃ）には、実際に図６（ｂ）に例示されたトリミング領域６０１を４倍に拡大した拡大画像６０２が表示されている。
【００４２】
図７を用いて、トリミング領域の設定について説明する。ここでは、ユーザによって望遠側ズームボタン５０３が選択されたとき、つまり電子ズーム処理において拡大倍率を増加させるときを例として説明する。図７（ａ）には、交換レンズ２０ａのズームレンズ２００のワイド端の位置Ｐｗとテレ端の位置Ｐｔと位置Ｐ０とが図示されている。また、図７（ａ）には、位置Ｐ０よりもテレ端側に位置Ｐ１、位置Ｐ２が図示されている。位置Ｐ０とＰ１とＰ２における交換レンズ２０ａの焦点距離がレンズ情報として記憶されている。
【００４３】
位置Ｐ０はズームレンズ２００の実際の位置であって、携帯通信端末４０を用いた遠隔操作開始時にズームレンズ２００がある位置である。位置Ｐ１は、レンズ情報に焦点距離が記憶されている位置のうち、位置Ｐ０の次にテレ端側にある位置である。位置Ｐ２は、レンズ情報に焦点距離が記憶されている位置のうち、位置Ｐ１の次にテレ端側にある位置である。
【００４４】
ユーザにより望遠側ズームボタン５０３が操作されたとき、ズームレンズ２００は位置Ｐｔに向けてテレ端側へ駆動されることが望まれる。また、ユーザにより広角側ズームボタン５０４が操作されたときには、ズームレンズ２００は位置Ｐｗに向けてワイド端側へ駆動されることが望まれる。カメラ側ＣＰＵ３０１は、交換レンズ２０ａのようにズームレンズ２００を電動駆動できない交換レンズが装着されている場合に望遠側ズームボタン５０３が選択されたとき、ズームレンズ２００の実際の位置Ｐ０と、望遠側ズームボタン５０３および広角側ズームボタン５０４の操作量とに基づいて、望ましいズームレンズ２００の位置（たとえば、位置Ｐ１）を推定する。ここで、望遠側ズームボタン５０３および広角側ズームボタン５０４の操作量とは、たとえば望遠側ズームボタン５０３の操作回数や操作時間などである。そして、レンズ情報に基づいて、その推定位置に対応する焦点距離ｆ１を推定する。以降、推定位置に対応する焦点距離のことを推定焦点距離と称する。
【００４５】
前述したように、レンズ情報はズームレンズ２００の位置ごとの焦点距離を含んでいる。また、ズームレンズ２００の位置Ｐ０はエンコーダ２０２により検出されてレンズ情報と共に交換レンズ２０ａから送信されている。カメラ側ＣＰＵ３０１は、位置Ｐ０と望遠側ズームボタン５０３および広角側ズームボタン５０４の操作量とに基づいてレンズ情報を検索することで、ズームレンズ２００の推定焦点距離ｆ１を演算する。
【００４６】
カメラＣＰＵ３０１は、推定焦点距離ｆ１に基づいて、下式（１）を演算することにより推定画角θ１を演算する。下式（１）のＬ０は撮像部３０２に含まれる撮像素子のフレームサイズであり、カメラボディ３０ごとに予め設定された定数である。推定焦点距離ｆ１と推定画角θ１とフレームサイズＬ０との関係は、図７（ｂ）に図示されている。
θ１＝２×ｔａｎ−１（Ｌ０／（２×ｆ１））  …（１）
【００４７】
カメラＣＰＵ３０１は、ズームレンズ２００の実際の位置Ｐ０についても交換レンズ２０ａの実際の焦点距離ｆ０を演算する。そして、カメラＣＰＵ３０１は、焦点距離ｆ０と推定画角θ１とに基づいて、下式（２）を用いて、フレームサイズＬ０の部分範囲Ｌ１を算出する。図７（ｂ）には、焦点距離ｆ０および部分範囲Ｌ１が図示されている。
Ｌ１＝２×ｆ０×ｔａｎ（θ１／２）  …（２）
【００４８】
カメラＣＰＵ３０１は、フレームサイズＬ０とその部分範囲Ｌ１との比に基づいて、トリミング範囲を設定する。たとえば、トリミング領域６０１の対角線の長さが撮像画像６００の対角線の長さのＬ１／Ｌ０倍となるようにトリミング範囲を設定する。
【００４９】
ユーザが遠隔操作開始前にズームレンズ２００の位置をワイド端Ｐｗに調節していたときは、ズームレンズ２００によるワイド端Ｐｗからテレ端Ｐｔまでの光学ズームを、電子ズーム処理により擬似的に再現することができる。
【００５０】
なお、ズームレンズ２００の推定位置が実際のズームレンズ２００の位置よりもワイド端側の位置に設定されているときは、撮像画像６００をＬ０／Ｌ１倍に縮小させることでクロップ撮影を再現することができる。図７（ｃ）は、撮像画像６００を縮小した縮小画像６０３を例示した図である。
【００５１】
図８は、携帯通信端末４０がカメラシステム１用のアプリケーションの実行を開始したときに携帯通信端末４０の端末側ＣＰＵ４０１とカメラボディ３０のカメラ側ＣＰＵ３０１とが協働して実行する処理に関するフローチャートである。
【００５２】
図８の処理の開始時点では、カメラボディ３０には交換レンズ２０ａが装着されているものとする。カメラ側ＣＰＵ３０１は、カメラ側接点３００を介して、交換レンズ２０ａのレンズ情報とズームレンズ２００の位置に関する情報とを図８の処理よりも前に取得しているものとする。カメラ側ＣＰＵ３０１は、レンズ情報に含まれる交換レンズの型式に関する情報に基づいて、交換レンズ２０ａおよび交換レンズ２０ｂのいずれが装着されたのかを判断している。
【００５３】
図８の処理を開始すると、端末側ＣＰＵ４０１は、ステップＳ１０ａの処理を開始する。一方、カメラ側ＣＰＵ３０１は、ステップＳ１０ｂの処理を開始する。そして、ステップＳ１０ａおよびＳ１０ｂでは、端末側ＣＰＵ４０１とカメラ側ＣＰＵ３０１とは、無線通信部４０４と無線通信部３０３とを利用した無線通信を確立する。
【００５４】
カメラ側ＣＰＵ３０１は、無線通信を確立するとステップＳ１１ｂに進み、ステップＳ１０ｂで確立した無線通信によりスルー画像、拡大画像、または縮小画像の画像データの送信を開始する。一方、端末側ＣＰＵ４０１は、無線通信を確立するとステップＳ１１ａに進み、携帯通信端末４０から送信されるスルー画像、拡大画像、または縮小画像の画像データの受信を開始する。
【００５５】
そして、ステップＳ１２では、操作画面５００を表示部４００に表示する。このとき、画像表示領域５０１には、カメラボディ３０側から送信されるスルー画像、拡大画像、または縮小画像が表示される。
【００５６】
ステップＳ１３では、端末側ＣＰＵ４０１は、ユーザが操作部４０３を介して操作画面５００に対して操作を行ったか否かを判定する。ステップＳ１３が肯定判定された場合は携帯通信端末４０側の処理はステップＳ１４ａに進む。ステップＳ１３が否定判定された場合、携帯通信端末４０側の処理はステップＳ１２に進む。
【００５７】
ステップＳ１４ａでは、端末側ＣＰＵ４０１は、ユーザが行った操作に操作信号を送信する。ステップＳ１４ｂでは、カメラ側ＣＰＵ３０１は、携帯通信端末４０から操作信号が送信されたか否かを判定する。ステップＳ１４ｂが肯定判定された場合はカメラボディ３０側の処理はステップＳ１７ｂに進む。ステップＳ１４ｂが否定判定された場合、カメラボディ３０側の処理はステップＳ１５に進む。ステップＳ１５では、カメラ側ＣＰＵ３０１は、所定時間（たとえば、５分）以上、携帯通信端末４０から操作信号を受信しなかったか否かを判定する。ステップＳ１５が肯定判定された場合はカメラボディ３０側の処理はステップＳ１６に進む。ステップＳ１５が否定判定された場合、カメラボディ３０側の処理はステップＳ１４ｂに進む。
【００５８】
ステップＳ１７ａおよびＳ１７ｂでは、端末側ＣＰＵ４０１とカメラ側ＣＰＵ３０１は、ステップＳ１３でユーザが操作画面５００に対して行った操作に対応する処理を協働して実行する。
【００５９】
図９は、ユーザにより望遠側ズームボタン５０３または広角側ズームボタン５０４が操作されたときに、ステップＳ１７ｂでカメラ側ＣＰＵ３０１が実行する処理に関するフローチャートである。なお、カメラ側ＣＰＵ３０１は、交換レンズ２０ａのレンズ情報とズームレンズ２００の位置に関する情報とを図８および図９の処理よりも前に取得している。
【００６０】
ステップＳ２０では、カメラ側ＣＰＵ３０１は、ズームレンズ２００の実際の位置Ｐ０と望遠側ズームボタン５０３および広角側ズームボタン５０４の操作量とに基づいて、ズームレンズ２００の推定位置を推定する。ステップＳ２０の処理については、その一例を後述する。
【００６１】
ステップＳ２１では、カメラ側ＣＰＵ３０１は、レンズ情報に基づいて、ステップＳ２０で推定したズームレンズ２００の推定位置に対応した推定焦点距離ｆ１を算出する。ステップＳ２２では、カメラ側ＣＰＵ３０１は、ステップＳ２１で算出した推定焦点距離ｆ１に基づいて、推定画角θ１を算出する。ステップＳ２３では、カメラ側ＣＰＵ３０１は、ステップＳ２２で算出した推定画角θ１に基づいて部分範囲Ｌ１を算出して、トリミング範囲を設定する。
【００６２】
ステップＳ２４では、カメラ側ＣＰＵ３０１は、ステップＳ２０で推定したズームレンズ２００の推定位置が位置Ｐｗ〜Ｐ０の間にあるのか、Ｐ０〜Ｐｔの間にあるのかを判定する。ズームレンズ２００の推定位置が位置Ｐｗ〜Ｐ０の間にある場合はステップＳ２９に進み、ズームレンズ２００の推定位置が位置Ｐ０〜Ｐｔの間にある場合はステップＳ２５に進む。
【００６３】
ステップＳ２５では、カメラ側ＣＰＵ３０１は、ステップＳ２４で設定したトリミング範囲の画素数が、予め設定されている所定の記録画素数以上か否かを判定する。ステップＳ２５が肯定判定されるとステップＳ２８に進み、否定判定されるとステップＳ２６に進む。
【００６４】
トリミング範囲の拡大画像または縮小画像が画像表示領域５０１に表示されているとき、ユーザが撮影ボタン５０２を選択すると、その拡大画像または縮小画像に基づいた静止画データや動画データが画像記録部３０５に記録される。このとき、トリミング範囲の画素数によっては画質の劣化等が懸念される。そこで、ステップＳ２５では、トリミング範囲の画素数が予め設定されている所定の記録画素数を下回っている場合、トリミング範囲に含まれる画素数が少なくなったか否かを判定する処理を行う。換言すれば、画質の劣化が懸念される場合は、画質の劣化を防ぐため電子ズーム処理に制限を設けるということである。なお、所定の記録画素数は、ＶＧＡやＨＤやＦｕｌｌＨＤなどの所定の規格画素数でもよいし、ユーザが任意に設定した画素数でもよい。
【００６５】
ステップＳ２６では、カメラ側ＣＰＵ３０１は、ステップＳ２４で新たに設定したトリミング範囲を破棄して、新たなトリミング範囲を設定する前のトリミング範囲を用いて拡大画像または縮小画像を生成する。新たなトリミング範囲を設定する前のトリミング範囲を用いて拡大画像または縮小画像を生成することにより、画質の劣化のおそれがある画像データの記録を防止できる。
【００６６】
ステップＳ２７では、カメラ側ＣＰＵ３０１は、携帯通信端末４０に向けて、トリミング範囲の画素数が所定の記録画素数を下回っているためトリミングできない旨の警告情報を送信する。このとき携帯通信端末４０は、警告情報を受信すると、操作画面５００の内側に所定の警告表示を行う。
【００６７】
ステップＳ２８では、カメラ側ＣＰＵ３０１は、ステップＳ２４で演算したトリミング範囲の画像を拡大し、拡大画像（たとえば、図６の拡大画像６０２）を生成する。拡大画像は、スルー画像の代わりに携帯通信端末４０へ送信される。携帯通信端末４０の表示部４００に表示される操作画面５００の画像表示領域５０１には、スルー画像の代わりにこの拡大画像が表示される。
【００６８】
拡大画像が画像表示領域５０１に表示されているときに撮影ボタン５０２が操作されると、カメラ側ＣＰＵ３０１は、その拡大画像を、所定の記録画素数の静止画データまたは動画データとして画像記録部３０５に記録する。
【００６９】
ステップＳ２９では、カメラ側ＣＰＵ３０１は、ステップＳ２３で設定したトリミング範囲の大きさに基づいてスルー画像を縮小して、縮小画像（図７（ｃ）の縮小画像６０３）を生成する。縮小画像は、スルー画像の代わりに携帯通信端末４０へ送信される。携帯通信端末４０の表示部４００に表示される操作画面５００の画像表示領域５０１には、スルー画像の代わりにこの縮小画像が表示される。
【００７０】
図１０は、図９のステップＳ２０の処理に関するフローチャートである。図１０に示す処理が開始されるとき、ユーザにより望遠側ズームボタン５０３または広角側ズームボタン５０４が操作されている。図１０の例では、望遠側ズームボタン５０３および広角側ズームボタン５０４の操作量として、望遠側ズームボタン５０３の操作回数を用いることとする。
【００７１】
ステップＳ２０１では、カメラ側ＣＰＵ３０１は、図８のステップＳ１４ｂで受信した操作信号に基づいて、ユーザが操作したボタンが望遠側ズームボタン５０３および広角側ズームボタン５０４のいずれであるかを判定する。望遠側ズームボタン５０３が操作された場合は、処理をステップＳ２０２に進める。一方、広角側ズームボタン５０４が操作された場合は、処理をステップＳ２０３に進める。  
【００７２】
ステップＳ２０２では、カメラ側ＣＰＵ３０１は、望遠側ズームボタン５０３の操作回数を所定値（たとえば、１）だけ増加させる。ステップＳ２０３では、カメラ側ＣＰＵ３０１は、望遠側ズームボタン５０３の操作回数を所定値（たとえば、１）だけ減少させる。
【００７３】
ステップＳ２０４では、カメラ側ＣＰＵ３０１は、望遠側ズームボタン５０４の操作回数と、実際のズームレンズ２００の位置Ｐ０とに基づいて、ズームレンズ２００の推定位置を算出する。望遠側ズームボタン５０４の操作回数が零の場合はズームレンズ２００の推定位置は、実際のズームレンズ２００の位置Ｐ０と一致する。望遠側ズームボタン５０４の操作回数が正の場合は、その操作回数に基づいてテレ端側へ位置と変更される（たとえば、図７（ａ）の位置Ｐ１、位置Ｐ２、・・・、位置Ｐｔの順番に変更される）。望遠側ズームボタン５０４の操作回数が負の場合は、その操作回数に基づいてワイド端側へ変更される。  
【００７４】
図１１（ａ）および（ｂ）用いて、ステップＳ２５において、トリミング範囲の画素数が所定の記録画素数未満となる場合、つまり電子ズーム処理に制限を設ける場合について説明する。図１１（ａ）では、ズームレンズがテレ端にあるときの焦点距離がそれぞれｆａ，ｆｂ，ｆｃである３種類のデジタルカメラＡ，Ｂ，Ｃを例として用いて説明する。図１１（ａ）のｆｆは、実際のズームレンズがワイド端に位置するときにトリミング範囲の画素数がＦｕｌｌＨＤ相当の記録画素数未満となる焦点距離である。ｆｖは、実際のズームレンズがワイド端に位置するときにトリミング範囲の画素数がＶＧＡ相当の記録画素数未満となる焦点距離である。図１１（ａ）では、ｆｗ＜ｆａ＜ｆｆ＜ｆｂ＜ｆｖ＜ｆｃである。
【００７５】
図１１（ａ）では、デジタルカメラＡ，Ｂ，Ｃはワイド端にあるものとする。そして図１１（ａ）では、デジタルカメラＡ，Ｂ，Ｃはワイド端にあるときは、４Ｋ２Ｋ相当の記録画素数の画像を記録することができる。図１１（ａ）には、デジタルカメラＡ，Ｂ，Ｃについて、電子ズーム処理で変更可能な焦点距離の範囲が矢印Ａ０，Ａ１，Ａ２，Ｂ０，Ｂ１，Ｂ２，Ｃ０，Ｃ１，Ｃ２を用いて図示されている。
【００７６】
矢印Ａ０，Ｂ０，Ｃ０は、電子ズーム処理に所定の記録画素数による制限を設けない場合にデジタルカメラＡ，Ｂ，Ｃがそれぞれ電子ズーム処理で変更可能な焦点距離の範囲を表す。矢印Ａ１，Ｂ１，Ｃ１は、電子ズーム処理をＶＧＡ相当の記録画素数による制限を設ける場合にデジタルカメラＡ，Ｂ，Ｃがそれぞれ電子ズーム処理で変更可能な焦点距離の範囲を表す。矢印Ａ２，Ｂ２，Ｃ２は、電子ズーム処理をＦｕｌｌＨＤ相当の記録画素数による制限を設ける場合にデジタルカメラＡ，Ｂ，Ｃがそれぞれ電子ズーム処理で変更可能な焦点距離の範囲を表す。
【００７７】
（デジタルカメラＡの場合）
電子ズーム処理に所定の記録画素数による制限を設けない場合、ワイド端にあるデジタルカメラＡの焦点距離は、電子ズーム処理によりｆｗからｆａまでテレ端側へ変更可能である（Ａ０）。焦点距離ｆａがｆａ＜ｆｆ＜ｆｖであるから、ワイド端にあるデジタルカメラＡは、所定の記録画素数がＶＧＡ相当の場合（Ａ１）であっても、ＦｕｌｌＨＤ相当の場合（Ａ２）であっても、電子ズーム処理の制限の影響を受けない。
【００７８】
（デジタルカメラＢの場合）
電子ズーム処理に所定の記録画素数による制限を設けない場合、ワイド端にあるデジタルカメラＢの焦点距離は、電子ズーム処理によりｆｗからｆｂまでテレ端側へ変更可能である（Ｂ０）。焦点距離ｆｂは、ｆｆ＜ｆｂ＜ｆｖの関係にある。ワイド端にあるデジタルカメラＢは、所定の記録画素数がＶＧＡ相当の場合（Ｂ１）は電子ズーム処理の制限の影響を受けないが、所定の記録画素数がＦｕｌｌＨＤ相当の場合（Ｂ２）には電子ズーム処理の制限の影響を受ける。矢印Ｂ２が表すように所定の記録画素数がＦｕｌｌＨＤ相当の場合には、ワイド端にあるデジタルカメラＢの焦点距離は、ｆｗからｆｆまでテレ端側へ変更可能である。
【００７９】
（デジタルカメラＣの場合）
電子ズーム処理に所定の記録画素数による制限を設けない場合、ワイド端にあるデジタルカメラＣの焦点距離は、電子ズーム処理によりｆｗからｆｃの範囲内でテレ端側へ変更可能である（Ｃ０）。焦点距離ｆｃは、ｆｆ＜ｆｖ＜ｆｃの関係にある。ワイド端にあるデジタルカメラＣは、所定の記録画素数がＶＧＡ相当の場合（Ｃ１）もＦｕｌｌＨＤ相当の場合（Ｃ２）も、電子ズーム処理の制限の影響を受ける。矢印Ｃ１が表すように所定の記録画素数がＶＧＡ相当の場合には、ワイド端にあるデジタルカメラＣの焦点距離は、ｆｗからｆｖまでテレ端側へ変更可能である。矢印Ｃ２が表すように所定の記録画素数がＦｕｌｌＨＤ相当の場合（Ｃ２）には、ワイド端にあるデジタルカメラＣの焦点距離は、ｆｗからｆｆまでテレ端側へ変更可能である。
【００８０】
図１１（ｂ）では、デジタルカメラＢおよびＣのズームレンズが光学ズームによりワイド端以外の位置Ｐに移動しているものとする。図１１（ｂ）では、デジタルカメラＢおよびＣのズームレンズが位置Ｐにあるとき、４Ｋ２Ｋ相当の記録画素数の画像を記録することができる。位置Ｐにあるときの焦点距離をｆｐとする。図１１（ｂ）では、焦点距離ｆｆおよびｆｖが図１１（ａ）と比べてｆｐ−ｆｗだけ異なる位置に図示されている。これは、４Ｋ２Ｋ相当の記録画素数で記録する焦点距離がｆｗからｆｐに変わったためである。
【００８１】
矢印Ｂ３およびＣ３は、電子ズーム処理に所定の記録画素数による制限を設けない場合に、位置ＰにあるデジタルカメラＢおよびＣがそれぞれ電子ズーム処理で変更可能な焦点距離の範囲のうち、テレ端側の範囲のみを図示したものである。
矢印Ｂ４およびＣ４は、電子ズーム処理をＶＧＡ相当の記録画素数による制限を設ける場合に位置ＰにあるデジタルカメラＢおよびＣがそれぞれ電子ズーム処理で変更可能な焦点距離の範囲のうち、テレ端側の範囲のみを図示したものである。
矢印Ｂ５およびＣ５は、電子ズーム処理をＦｕｌｌＨＤ相当の記録画素数による制限を設ける場合に位置ＰにあるデジタルカメラＢおよびＣがそれぞれ電子ズーム処理で変更可能な焦点距離の範囲のうちテレ端側の範囲のみを図示したものである。
【００８２】
（デジタルカメラＢの場合）
電子ズーム処理に所定の記録画素数による制限を設けない場合、位置ＰにあるデジタルカメラＢの焦点距離は、電子ズーム処理によりｆｐからｆｂまで変更可能である（Ｂ３）。図１１（ｂ）では焦点距離ｆｂがｆｂ＜ｆｆ＜ｆｖであるから、位置ＰにあるデジタルカメラＢは、所定の記録画素数がＶＧＡ相当の場合（Ｂ４）であっても、ＦｕｌｌＨＤ相当の場合（Ｂ５）であっても、電子ズーム処理の制限の影響を受けない。
【００８３】
図１１（ｂ）ではデジタルカメラＢのズームレンズの実際の位置がワイド端から位置Ｐに変わったことにより、焦点距離ｆｆが図１１（ａ）の焦点距離ｆｆよりもｆｐ−ｆｗだけテレ端側へ移動している。このため、焦点距離ｆｂと焦点距離ｆｆとの大小関係が入れ替わり、所定の記録画素数がＦｕｌｌＨＤ相当の場合のときに電子ズーム処理の制限の影響を受けなくなっている。
【００８４】
（デジタルカメラＣの場合）
電子ズーム処理に所定の記録画素数による制限を設けない場合、位置ＰにあるデジタルカメラＣの焦点距離は、電子ズーム処理によりｆｐからｆｃまでテレ端側へ変更可能である（Ｃ３）。位置ＰにあるデジタルカメラＣは、所定の記録画素数がＶＧＡ相当の場合（Ｃ４）は電子ズーム処理の制限の影響を受けないが、所定の記録画素数がＦｕｌｌＨＤ相当の場合（Ｃ５）には電子ズーム処理の制限の影響を受ける。矢印Ｃ５が表すように所定の記録画素数がＦｕｌｌＨＤ相当の場合には、位置ＰにあるデジタルカメラＣの焦点距離は、ｆｐからｆｆまでテレ端側へ変更可能である。
【００８５】
図１１（ｂ）ではデジタルカメラＣのズームレンズの実際の位置がワイド端から位置Ｐに変わったことにより、焦点距離ｆｖが図１１（ａ）の焦点距離ｆｖよりもｆｐ−ｆｗだけテレ端側へ移動している。このため、焦点距離ｆｃと焦点距離ｆｖとの大小関係が入れ替わり、所定の記録画素数がＶＧＡ相当の場合のときに電子ズーム処理の制限の影響を受けなくなっている。
【００８６】
以上で説明した実施の形態によれば、以下の作用効果が得られる。
本発明によるデジタルカメラ１０ａは、交換レンズ２０ａとカメラボディ３０とを備えるレンズ交換式のデジタルカメラである。交換レンズ２０ａは、ズームレンズ２００と、ズームレンズ２００の位置を手動調節するためのズーム環２０１と、ズームレンズ２００の位置に関する情報を生成するエンコーダ２０２と、を備える。カメラボディ３０には、撮像部３０２と無線通信部３０３とカメラ側ＣＰＵ３０１とを備える。撮像部３０２は、交換レンズ２０ａを通過した被写体像を撮像して、撮像画像を出力する。無線通信部３０３は、携帯通信端末４０から送信される交換レンズ２０ａの焦点距離の変化を表す調節信号を受信する。カメラ側ＣＰＵ３０１は、電子ズーム部３１０を有し、撮像画像の一部を拡大した拡大画像を生成する。また、カメラ側ＣＰＵ３０１は、無線通信部３０３を介して携帯通信端末４０から調節信号を受信したときに、ズームレンズ２００の位置と調節信号とに基づいて電子ズーム部３１０に拡大画像を生成させる。
デジタルカメラ１０ａは、このような構成を有することにより、ズームレンズ２００の位置を手動でのみ調節可能な交換レンズ２０ａがカメラボディ３０に装着された場合であっても、電子ズーム部３１０を用いることでズームすることができる。また、交換レンズ２０ａのズームレンズ２００による光学ズームを擬似的に再現することができる。したがって、ユーザは光学ズームと違和感のないズーム操作を遠隔操作でも行うことができる。
【００８７】
以上で説明した実施の形態は、以下のように変形して実施できる。
（変形例１）図８および図９の処理は、交換レンズ２０ｂがカメラボディ３０に装着されたデジタルカメラ１０ｂにも適用できる。また、上記の実施の形態は、手動でズームレンズを操作するコンパクトカメラにも適用可能である。
（変形例２）ズームレンズ２００が手動および電動で調整できない交換レンズがカメラボディ３０に装着された場合にも本発明は適用できる。また、ズームレンズ２００以外の光学系で交換レンズの焦点距離を調節するデジタルカメラにも本発明は適用できる。
（変形例３）電子ズーム処理は、端末側ＣＰＵ４０１が実行することにしてもよい。すなわち、端末側ＣＰＵ４０１がカメラ側ＣＰＵ３０１からレンズ情報を予め受信して、望遠側ズームボタン５０３および広角側ズームボタン５０４の操作量に基づいてトリミング範囲を設定して、スルー画像から拡大画像や縮小画像を生成することにしてもよい。  
【００８８】
（変形例４）撮影ボタン５０２の選択に基づいて撮影した画像データは、画像記録部３０５に記録するだけでなく、無線通信部３０３を介して携帯通信端末４０へ送信してもよい。また、画像記録部３０５に記録する画像データの記録画素数と、携帯通信端末４０へ送信する画像データの記録画素数は異なってもよい。このとき携帯通信端末４０へ送信する画像データの記録画素数は、画像記録部３０５に記録する画像データの記録画素数よりも少なくすることで、携帯通信端末４０がその画像データを各種ＷＥＢサービスの利用に用いることが容易になる。
【００８９】
（変形例５）図６（ｂ）では、電子ズーム処理で拡大するトリミング領域６０１を撮像画像６００の中央部分に設定したが、撮像画面中の任意の位置に設定できるようにしてもよい。たとえば、図１２に例示されるように撮像画面８００中に設定されている複数のフォーカスエリア８１０のうちのいずれかを含むようにトリミング範囲を設定することにしてもよいし、カメラ側ＣＰＵ３０１が顔認識処理により抽出した顔画像を含むようにトリミング範囲を設定することにしてもよいし、ユーザが操作部３０７や操作部４０３を用いて任意の位置を撮像画面から設定できるようにしてもよい。
【００９０】
（変形例６）カメラボディ３０は、無線通信部３０３を介して、レンズ情報とズームレンズ２００の実際の位置に関する情報などを、スルー画像等と共に携帯通信端末４０へ送信することにしてもよい。携帯通信端末４０の端末側ＣＰＵ４０１は、これらの情報を用いて、図１３に示すように、画像表示領域５０１にズームレンズ２００の位置に関する情報を示すバー画像を、スルー画像や拡大画像に重ねて表示することができる。なお、このバー画像は、電子ズーム処理を開始したときに初めて表示することにしてもよい。
【００９１】
図１３には、拡大画像６０２の下に、光学ズームバー７０１と電子ズームバー７０２とが表示されている。光学ズームバー７０１の形状は長方形であり、光学ズームバー７０１の長手方向はズームレンズ２００の位置を表す。光学ズームバー７０１の左辺はワイド端を表し、右辺はテレ端を表す。光学ズームバー７０１中には、ズームレンズ２００の実際の位置Ｐ０を表すズーム位置インジケータ７０３が表示されている。図１３ではズーム位置インジケータ７０３は、黒色の長方形として例示されており、その長手方向の長さは、光学ズームバー７０１の長手方向よりも短い。電子ズームバー７０２は、光学ズームバー７０１の下に表示されている。電子ズームバー７０２の形状は長方形であり、電子ズームバー７０２の長手方向は、電子ズーム処理により再現するズームレンズ２００の推定位置を表す。電子ズームバー７０２の左辺の位置は可変であり、ズーム位置インジケータ７０３の左辺と同じ位置となる。電子ズーム処理により再現されているズームレンズ２００の推定位置は、仮想位置インジケータ７０４で表示される。図１３では仮想位置インジケータ７０４は、黒色の長方形として例示されており、その長手方向の長さは、電子ズームバー７０２の長手方向よりも短い。電子ズームバー７０２のうち、トリミング範囲の画素数が記録画素数未満となるズームレンズ２００の推定位置は、制限表示７０５のように、他の位置とは異なる態様で表示される。図１３の制限表示７０５は、ハッチング処理が施されている。制限表示７０５は、ハッチング処理だけでなく、他の位置とは異なる色で表示することにしてもよい。なお、ズームレンズ２００の位置等は、光学ズームバー７０１および電子ズームバー７０２の表示だけでなく、数値等によって表示することにしてもよい。なお、電子ズームバー７０２は、その左辺よりも左側に画像表示領域５０１に縮小画像を表示するズームレンズ２００の推定位置を表示する領域を有していてもよい。
【００９２】
（変形例７）図１０では、カメラ側ＣＰＵ３０１は、望遠側ズームボタン５０３の操作回数に基づいて、ズームレンズ２００の推定位置（たとえば、位置Ｐ１，位置Ｐ２，・・・，位置Ｐｔ）を算出することにした。しかし、望遠側ズームボタン５０３の操作回数の代わりに、望遠側ズームボタン５０３の操作時間に基づいてズームレンズ２００の推定位置を算出することにしてもよい。たとえば、ステップＳ２０２の処理の代わりにユーザがタッチパネル等の操作部４０３を用いて望遠側ズームボタン５０３を操作し続けている間カメラ側ＣＰＵ３０１は操作時間を増加させ、ステップＳ２０３の処理の代わりにユーザが広角側ズームボタン５０４を操作し続けている間、カメラ側ＣＰＵ３０１は操作時間を減少させることにすればよい。
【００９３】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００９４】
１  カメラシステム
１０ａ  デジタルカメラ
１０ｂ  デジタルカメラ
２０ａ  交換レンズ
２０ｂ  交換レンズ
３０  カメラボディ
４０  携帯通信端末
２００  ズームレンズ
２０１  ズーム環
２０２  エンコーダ
２０３  レンズ側ＣＰＵ
２０４  レンズ側ＲＯＭ
３０１  カメラ側ＣＰＵ
３０２  撮像部
３０３  無線通信部
３０５  画像記録部
３０８  マウント部
３１０  電子ズーム部
４０１  端末側ＣＰＵ
５００  操作画面
５０１  画像表示領域
５０２  撮影ボタン
５０３  望遠側ズームボタン
５０４  広角側ズームボタン
６００  撮像画像
６０１  トリミング領域
【図１】
2014027352.tif 000003
【図２】
2014027352.tif 000004
【図３】
2014027352.tif 000005
【図４】
2014027352.tif 000006
【図５】
2014027352.tif 000007
【図６】
2014027352.tif 000008
【図７】
2014027352.tif 000009
【図８】
2014027352.tif 000010
【図９】
2014027352.tif 000011
【図１０】
2014027352.tif 000012
【図１１】
2014027352.tif 000013
【図１２】
2014027352.tif 000014
【図１３】
2014027352.tif 000015